(57)【特許請求の範囲】
【請求項１】
縦線と横線が組まれた、クリンプされた線材を使用した金網からなるフェンス本体が複数の支柱間に固定されている動物侵入防止フェンスにおいて、
前記金網は、
波形凹凸部分が形成された縦線と横線が各々縦横平行に配置されてなり、
前記縦線はその上部及び下部において、隣接する半ピッチずれた２本線以上の横線の凹凸部分に通されて係合され、この２本線以上の横線を１組として、
前記隣接する横線の組が互いに３ピッチ以上離れて、金網が平行四辺形に変形可能にされ、２本線以上からなる１組の側部縦線と、２本線以上からなる１組の横線が絡み合って四方枠が形成され、前記四方枠がフェンス本体の両側部に形成され、各縦線の下端部には、複数の横線からなる動物による穴掘り防止用の横線群が形成され、
該横線群は、縦線の波形に対して１．５ピッチ又は２．５ピッチずれの間隔で各縦線に対して表裏から抱き込むように一本ずつ交互に配置されることにより、平行四辺形への変形が可能に係合され、
前記横線群のうち、少なくとも３本の横線は縦線の下端部と共に地中に埋め込まれていることを特徴とする動物侵入防止フェンス。
【請求項２】
隣接する１．５ピッチ又は２．５ピッチずれて間隔をおいた少なくとも３本の下端部の横線に代えて、１．５ピッチずれと２．５ピッチずれが混在するように間隔をおいた少なくとも３本の下端部の横線の凹凸部分に通されて係合されていることを特徴とする請求項１に記載の動物侵入防止フェンス。
【請求項３】
少なくとも３本の下端部の横線から間隔をおいた上方の地上部には、１．５ピッチ又は２．５ピッチずれて間隔をおいた複数本の地際部用の横線が設けられていることを特徴とする請求項１又は２に記載の動物侵入防止フェンス。
【発明の詳細な説明】
【技術分野】
【０００１】
本発明は、侵入防止フェンスに係り、特に、クリンプされた線材を使用した金網を用いた動物侵入防止フェンスに関するものである。
【背景技術】
【０００２】
例えば、山あいに建設された高速自動車道路や幹線鉄道線路などでは、小動物が道路内に侵入しないように、道路の両側に動物侵入防止フェンスが設けられる。従来、この防獣フェンスは、縦、横胴縁の間に溶接格子金網を張ったものが一般に使用されているが、この溶接格子金網を使用したフェンスを傾斜地に施工するには、その傾斜地の角度に合わせて横線の角度を変えて縦線に溶接した格子金網を専用に作成し施工していた。これは非常に作業性が悪く、また、それぞれの傾斜角度に対応することも非常に難しかった。溶接格子金網のフェンスを傾斜地に設置する、さらに他の設置方法として、施工現場にて傾斜角度に合わせて溶接金網の上下を切断して施工することがあるが、作業性が悪いし、美観も悪かった。
【０００３】
前記の問題点に鑑み傾斜地に対応できる格子金網の特許はいくつか出願されている。
例えば、（１）特開昭６１−８５６７０号「傾斜地設置可能なネットフェンス」がある。この先行技術には、フェンスの金網部分を構成する縦線と横線の交点を単に接触状態に保持している傾斜地施工可能なネットフェンスが開示されている。しかし、この従来例（１）は、交点が固定されていないため、線材が横、または、縦にずれることがあり、横胴縁、縦胴縁で金網を固定するまでは、金網が崩れないように維持する必要がある。従って、梱包、運搬、施工時には十分な注意を払う必要があり、また、一度、金網が崩れた際には、それを戻すのに非常に手間ひまがかかる。
【０００４】
（２）特開２００２−８１２３１号「小動物進入防止用フェンス金網」には、フェンスの金網の縦線と横線が交差する箇所に、縦線と横線を組み合わせるための凹状の屈曲部または湾曲部を設け、この凹状部を相互に嵌め合わせて構成している金網を使用した小動物進入防止用フェンス金網が開示されている。しかし、この従来例（２）のフェンス金網も線材にコ字状の凹状部があり、ずれにくくはなっているが、縦線と横線の交点を単に接触状態に保持している点では、（１）と同様であり、前記と同様に金網が崩れる可能性があるし、また、コ字状の凹状部をもった線材を製造するのに手間が掛り、生産性が悪い。
【０００５】
また、従来、ＪＩＳ規格のクリンプ金網はフェンス用としては、使用されることがあまりなかった。というのは、クリンプ金網は、縦線と横線が隣接する波形凹凸部分に配置する構成ではなく、複数の凹凸部分を隔てた一定ピッチのピッチでかなり細かく編成されており、縦横線材どおしの拘束力が強く、わずかな傾斜地にしか対応することができなかった。また、傾斜地に対応できるように、大きなピッチで編成すると平行四辺形に変形可能で、傾斜地には対応できるが、線材どおしの拘束力が少なく、たやすく線材がずれて、金網が崩れてしまう欠点があったからである。また、かなり密に編んでいるクリンプ金網フェンスもあるが、線材どうしの拘束力が強く、わずかな傾斜地にしか対応できなかったし、密に編んだことによる景観性を目的としたフェンスであった。このクリンプ金網を傾斜地に設置するには、縦線と横線をある程度の間隔をあけて格子状に編み込み、かつ平行四辺形を保って変形自在に構成し、製作時は長方形に編成した金網を施工時に平行四辺形を保って上下辺が傾斜するように変形させて傾斜地に設置するものである。
【０００６】
傾斜地対応型のクリンプ金網は前記のように編成するが、この場合、平行四辺形を保って変形可能に縦線と横線を編成するためには、その交差部にある程度の自由度を確保する必要がある。このため縦線と横線は、隣接する波形凹凸部分に配置する構成ではなく、複数の凹凸部分を隔てて位置するように編成されている。このため傾斜地対応型の従来のクリンプ金網も、（１）（２）の従来例と同様に線材がずれやすい構造となって、製作時から施工に至る間の取り扱いには十分な注意を払う必要があり、また、一度、金網が崩れた際には、それを戻すのに非常に手間ひまがかかる問題があった。
【０００７】
また、これらの従来技術より優れた技術として、図１５から図１９に示すように、縦線２と横線３が組まれた、クリンプされた線材を使用した金網からなるフェンス本体が複数の支柱８間に固定されているフェンスにおいて、２本線以上からなる１組の側部縦線２と、２本線以上からなる１組の横線３が絡み合って四方枠６が形成され、前記四方枠６をフェンス本体１９の両側部の上下部及び中間部に形成したフェンス本体を備えたフェンスも知られている。
前記の形態では、フェンス本体１９の上部を、胴縁１２に形成した爪２３と取り付けボルト２４と胴縁取り付け金具２５を取り付け（図１９ａ，ｂ参照）、フェンス本体１９の側端部を支柱８の鍔部２２に支承させると共に、押さえ金具２９、Ｕボルト３０、ナット３１でフェンス本体１９の端部を支柱８に固定（図１９ｃ，ｄ参照）するか、支柱８と押さえ金具３２とボルト２８並びにナット３４によりフェンス本体１９の端部を支柱８に固定（図１９ｅ，ｆ参照）している。
しかも、この形態では、２本線からなる１組の横線３を地中部に埋め込む形態とされている（例えば、特許文献３参照）。
【先行技術文献】
【特許文献】
【０００８】
【特許文献１】特開昭６１−８５６７０号
【特許文献２】特開２００２−８１２３１号
【特許文献３】特開２００６−１５２６１６号
【発明の概要】
【発明が解決しようとする課題】
【０００９】
前記の四方枠を形成する形態のフェンスでは、２本線以上からなる１組の側部縦線２と、２本線以上からなる１組の横線３が絡み合って四方枠が形成されており、しかもその四方枠６が、フェンス本体１９の両側部における上端部と下部とに形成されていると共に、２本線以上からなる１組の横線３が上端部と下部に配置され、これらに絡み合っている２本線以上からなる１組の縦線２が両側部に配置されて剛性の大きい枠状部を形成している。そのため、平行四辺形を保って変形可能で、運搬も容易で、前記の枠状部の剛性の大きい両側部を重ねるようにして支柱８側に強固に取り付けることができる。
しかし、この形態では、２本線からなる１組の横線３を地盤７の地中部に埋め込んで、小動物のフェンス本体下側の穴掘りを防止するようにしているが、小動物に対しては有効に機能しているが、イノシシ或は犬などの動物の穴掘りに対しては不十分であったため、２本線からなる複数組以上の横線３を地中部に埋め込んで対応することも考えられるが、縦線も長くなると共に最低でも４本以上の偶数本の横線配置となるため、横線配置の自由度も低下し、地中部に埋め込む横線の本数も多くなり経済的でないという問題があった。
そのため、前記の四方枠の利点を生かしながら、さらに動物の穴掘りに対しては不十分であった点に対して経済的に有効な改善策が求められていた。
本発明は、前記の四方枠の利点を生かしながら動物の穴掘りに対する課題を有利に解消することができる動物侵入防止フェンスを提供することを目的とする。
【課題を解決するための手段】
【００１０】
前記の課題を有利に解決するために、第１発明の動物侵入防止フェンスでは、縦線と横線が組まれた、クリンプされた線材を使用した金網からなるフェンス本体が複数の支柱間に固定されている動物侵入防止フェンスにおいて、前記金網は、波形凹凸部分が形成された縦線と横線が各々縦横平行に配置されてなり、前記縦線はその上部及び下部において、隣接する半ピッチずれた２本線以上の横線の凹凸部分に通されて係合され、この２本線以上の横線を１組として、前記隣接する横線の組が互いに３ピッチ以上離れて、金網が平行四辺形に変形可能にされ、２本線以上からなる１組の側部縦線と、２本線以上からなる１組の横線が絡み合って四方枠が形成され、前記四方枠がフェンス本体の両側部に形成され、各縦線の下端部には、複数の横線からなる動物による穴掘り防止用の横線群が形成され、該横線群は、縦線の波形に対して１．５ピッチ又は２．５ピッチずれの間隔で各縦線に対して表裏から抱き込むように一本ずつ交互に配置されることにより、平行四辺形への変形が可能に係合され、前記横線群のうち、少なくとも３本の横線は縦線の下端部と共に地中に埋め込まれていることを特徴とする。
また、第２発明では、第１発明の動物侵入防止フェンスにおいて、隣接する１．５ピッチ又は２．５ピッチずれて間隔をおいた少なくとも３本の下端部の横線に代えて、１．５ピッチずれと２．５ピッチずれが混在するように間隔をおいた少なくとも３本の下端部の横線の凹凸部分に通されて係合されていることを特徴とする。
第３発明では、第１発明又は第２発明の動物侵入防止フェンスにおいて、少なくとも３本の下端部の横線から間隔をおいた上方の地上部には、１．５ピッチ又は２．５ピッチずれて間隔をおいた複数本の地際部用の横線が設けられていることを特徴とする。
【発明の効果】
【００１１】
本発明のクリンプされた線材を使用した金網を用いたフェンスによると、次の効果がある。
（１）縦線と横線が組まれた、クリンプされた線材を使用した金網からなるフェンスにおいて、前記金網の波形凹凸部分が形成された縦線と横線が縦横平行に配置されてなり、前記縦線は、隣接する半ピッチずれた２本線以上の横線の凹凸部分に通されて係合されているので、近接した２本線による四方枠が形成され、線材がずれることなく、特に、横線の間隔をあけて金網を構成することもでき、運搬、施工が可能となる。
（２）さらに、縦線においても、金網の左右両端で、横線の隣接した凹凸部分に縦線を２本通すことにより、近接した２本線による四方枠が形成され、線材がずれることなく運搬、施工が可能になる。
（３）また、縦線と横線は固定されてなく、回転可能な状態であるため、格子が長方形から平行四辺形に変形し、傾斜地に施工することが可能になる。
（４）金網の大きさによっては、中間部にも、同様に隣接した凹凸部分に横線や縦線を通すことにより、格子の目合を小さくでき、フェンスの強度が向上すると共に、小動物の侵入をより確実に防止できる効果が高まる。
このように本発明によると、クリンプされた線材を使用した金網からなるフェンスは勾配が０°から約３０°の範囲で平行四辺形を保持して自由に変形できると共に、柱・胴縁への取り付けが自由であることにより、平地に設置できるのは勿論、どんな傾斜地でも、現場にて角度を決めて容易に施工可能であり、しかも製作から梱包、運搬、施工時までの間のクリンプ金網の取扱に際し、縦線、横線が安定して編成されているので、ずれることがなく、フェンスの取り扱いが容易となり施工性が向上する。
（６）  しかも、本発明によると、従来の２本線以上の横線の組を上下方向に間隔をおいて地中部に設置する形態の場合に比べれて、１．５ピッチずれ又は２．５ピッチずれ、あるいはこれらのピッチずれが混在する形態で、少なくとも３本の地中部の横線を配置すればよいので、地中部の横線の配置本数を少なくして経済的に配置することができ、しかも地際部の横線を小さいピッチで設けているので、小動物の侵入はもちろんのこと、イノシシ或は犬などの動物のフェンス直下の穴掘りを確実に防止することができる等の効果が得られる。
また、各１本の横線を地中部に埋め込み配置しても、地中部なので、剛性も高くなり、縦線に係合する隣接の横線とも連結しているんで、安定性もある等の効果が得られる。
また、地中部に埋め込み配置される少なくとも３本の横線及びこれに係合した縦線により、中間部に位置する縦線が安定した状態で位置保持されるため、地際部の各横線も安定した状態になり、動物の侵入を確実に防止することができる。
地中部に埋め込まれる横線の配置ピッチが３．５ピッチ以上だと、各縦線との係合が弱くなり、横線が緩くなって抜けやすくなり、フェンス本体の運搬が困難になる。
また、第３発明のように、１．５ピッチずれ又は２．５ピッチずれを混在するようにすると、１，５ピッチずれの横線配置の場合に比べて、地中部の横線の配置を少なくすることも可能になり、２．５ピッチずれの横線配置に比べて、密に配置して動物の穴掘り侵入を防止することができる。
【図面の簡単な説明】
【００１２】
【図１】（ａ）は、本発明のフェンス本体を構成するクリンプされた線材を使用した金網の正面図、（ｂ）は側面図、（ｃ）は（ｂ）のＡ部の詳細図である。
【図２】（ａ）は、図１（ａ）のＢ部の拡大図、（ｂ）は（ａ）のＣ−Ｃ断面図、（ｃ）は（ａ）のＤ−Ｄ断面図である。
【図３】（ａ）はフェンス本体の一部の斜視図、（ｂ）は縦線と横線の線径と波形凹凸部分の深さ（ｈ）の関係を示す説明図である。
【図４】（ａ）は、図１のフェンス本体を平地に設置する場合の正面図、（ｂ）は（ａ）のフェンス本体の平行四辺形を保持して変形させて傾斜地に設置する場合の正面図である。
【図５】図１〜図４に示すフェンス本体で構成したフェンスを平地に設置した状態を示す正面図である。
【図６】図５の一部縦断側面図である。
【図７】図６の一部を拡大して示す縦断側面図である。
【図８】支柱間におけるフェンス本体下端部と地中埋め込み部との関係を示す縦断側面図である。
【図９】上部胴縁とフェンス本体（クリンプ金網）の連結構造を示す正面図である。
【図１０】（ａ）（ｂ）（ｃ）は、上部胴縁の詳細図、（ｄ）（ｅ）は、上部胴縁の端部連結構造の詳細図である。
【図１１】（ａ）（ｂ）は図５のＥ部における胴縁と支柱との連結部を示すものであって、（ａ）は正面図、（ｂ）は側面図である。
【図１２】（ａ）（ｂ）は、図５のＦ部の詳細図を示すものであって、（ａ）は平面図、（ｂ）は正面図である。
【図１３】図１〜図４に示すフェンス本体で構成したフェンスを傾斜地に設置した状態を示す正面図である。
【図１４】（ａ）は、本発明のフェンス本体を構成するクリンプされた線材を使用した他の形態の金網の正面図、（ｂ）は側面図、（ｃ）は（ｂ）の上端部側を拡大して示す図である。
【図１５】従来のフェンス本体を構成するクリンプされた線材を使用した金網の正面図、図（ｂ）は、側面図、図（ｃ）は、図（ｂ）のＧ部の詳細図である。
【図１６】（ａ）は、図１５（ａ）のＧ部の拡大図、（ｂ）は、（ａ）のＨ−Ｈ断面図である。
【図１７】（ａ）（ｂ）は、図１５〜図１６に示すフェンス本体で構成したフェンスを平地に設置した状態を示す正面図と側面図である。
【図１８】（ａ）は、上部胴縁とフェンス本体（クリンプ金網）の連結構造を示す正面図、（ｂ）（ｃ）（ｄ）は、上部胴縁の詳細図、（ｅ）（ｆ）は、上部胴縁の端部連結構造の詳細図である。
【図１９】（ａ）（ｂ）は、図１７のＪ部詳細図、（ｃ）（ｄ）は、図１７のＫ部詳細図、（ｅ）（ｆ）は、図１７のＬ部詳細図である。
【発明を実施するための形態】
【００１３】
次に、本発明を図示の実施形態に基づいて詳細に説明する。
【００１４】
図１〜図４に示すように、フェンス本体（クリンプされた線材を使用した金網）１は複数本の縦線２と横線３を格子状に編成して構成される。縦線２と横線３の各線材は、凹部４と凸部５を持った波状の線材であり、この線材で構成した縦線２と横線３を所定の目合に配列して編み上げた金網として構成されている。図１においては、両側部の縦線２がフェンス本体１の両側部を構成し、最上部の横線３と下部の横線３がフェンス本体１の上部と下部を構成し、両側部の縦線２最上部と下部の横線３とで囲まれる長方形の枠の内側に複数本の縦線２と横線３を一定の目合に配列して編み上げていると共に、下端側に所定のピッチで編み上げられた多数の横線を備えた金網として構成されている。
下端部の多数の各横線３ｃは、１本線からなる横線３ｃを地中部に埋め込まれる埋め込み用の横線群１３ａを下端側に備えていると共に、その上側に、地表面に近接して配置される横線３を含む地際部の横線群１３ｂを備えている。
【００１５】
フェンス本体１の両側部を構成する縦線２ａと、最上部と下部を構成する横線３ａが、それぞれ相手側の縦線２ａと横線３ａの連続した隣接の波形凹凸部分に通される構成としている。
【００１６】
図２、図３によってさらに説明すると、フェンス本体１の２本の側部縦線２ａの凹部４と凸部５は、下部横線３ａの凸部５と凹部４に直交して係合している。このように２本以上の１組の側部縦線２ａと下部横線３ａが絡み合って四方枠６が形成されて、相互にずれないように編み込まれている。このような四方枠６がフェンス本体１の両側部に形成されることで、フェンス本体１の長方形の４辺が安定して組まれることになる。隣り合う側部縦線２ａ、下部横線３ａは、それぞれ波形凹凸部分が半ピッチずれて配置されることで、相手側の線材の隣接する凸部５と凹部４で絡み合うように編み込まれる。側部縦線２ａと下部横線３ａは、少なくとも２本以上が連続して隣接する凸部５と凹部４に編み込まれるようになっていれば、３本以上であっても構わないが、理想的には２本乃至４本が望ましい。図示の形態では、上端部は３本１組の横線３とされ、中間部及び下部では、２本１組の横線３とされている。
また、下端側では、１本線からなる横線３ｃを、縦線２（２ａ，２ｂ）の波形に対して、１，５ピッチのずれ（図示の形態、又は図示を省略するが、２．５ピッチのずれ）の間隔で、各縦線２に対して表裏から抱き込むように交互に配置されて編み込まれている。
下端部側の横線３ｃは、図示を省略するが、１，５ピッチのずれ配置と、２．５ピッチのずれ配置が混在させるように設けてもよい。
そして、１本線の横線３ｃを上下方向に間隔をおいて、地中部に埋め込まれる埋め込み用の横線群１３ａ及び地際部の横線群１３ｂにより、アナグマ、狸や犬或はイノシシ等の動物のフェンス際の穴掘りを防止するようにされている。
また、地中部に埋め込まれる埋め込み用の横線群１３ａは、少なくとも３本の横線３ｃ、例えば３本〜５本の横線３ｃが設けられる。
また、地表面側に、地表面に近接して、横線３ｃが設けられていることで、動物によるフェンス本体直下の地表面の穴掘りが防止されるようにされている。
【００１７】
フェンス本体１の上端部と左右両側部の３辺と、下端部から上方に離れた下部に位置する２本１組の両側部縦線２ａと、３本１組又は２本一組の上下部横線３ａに対して、その内側に複数の中間部縦線２ｂと中間部横線３ｂが編みこまれる。図において中間部横線３ｂは上下に隣接する２本１組をなし、かつ、上下に間隔をあけて複数段配設されており、その両端は、２本１組の両側部縦線２ａの上下に隣接する凹部４と凸部５の間に配置される。このように３本一組の上端部横線３ｂ又は２本１組の中間部横線３ｂと側部縦線２ａが絡み合って四方枠６ａが形成されることにより、側部縦線２ａに対して中間部横線３ｂは安定して組み込まれてずれることがない。特に、２本１組の中間部横線３ｂは、上下方向に間隔をおいて配設されていても、両端部が側部縦線２ａにしっかりと安定して支持される。中間部横線３ｂは、さらに線材の本数を増減してもよく、何れの場合も、端部は２本１組の両側部縦線２ａの隣接する凹部４と凸部５によって安定に係止される。
なお、前記の縦線２及び横線３の波形凸凹のピッチが同じであれば、縦線及び横線の線径は、異なる線径であってもよい。
【００１８】
複数の中間部縦線２ｂは、多段に設けられた２本１組の中間部横線３ｂの横方向に隣接する凹部４と凸部５の間に係合して上下方向に伸長して設けられ、さらに、中間部縦線２ｂの上下端部は、２本１組の上下部横線３ａの横方向に隣接する凹部４と凸部５の間に配置される。このように中間部縦線２ｂが２本１組の中間部横線３ｂと上下部横線３ａに挟まれてずれないように支持されることで、フェンス本体１が安定して編成される。複数配設される中間部縦線２ｂの横方向の間隔は任意であるが、中間部横線３ｂの凹部４と凸部５の３ピッチ以上離れた配置に設けるのがよい。また、両側部縦線２ａと中間部縦線２ｂの下端部は、最下段の２本一組の下部横線３ａより下方に延長して、地際部の縦線部を形成していると共に、地中への埋設部の縦線部を形成している。
地際部の縦線部と、埋設部の縦線部とに、１本線の横線３ｃが、各縦線に対して交互に表裏となるように配置されている。
【００１９】
各縦線２および横線３の線径は、波形の凹部４の深さ（ｈ）以下に設けるのが望ましい。このように構成することにより縦線２と横線３は、相手側の縦線２と横線３の波形の凹部４内に納まって係合するので、凹部４から脱出しにくく安定した編成となると共に美観も向上する。また、縦線２と横線３は、例えば４Φｍｍの線径を規準として、線径（ｄ）と波形の凹部の深さ（ｈ）とピッチ（ｐ）は、例えば、２：４：５にし、フェンスの面外変形を小さくする場合には、線径（ｄ）と波形の凹部の深さ（ｈ）とピッチ（ｐ）適宜調整されたものを用いるのがよく、このように構成すると隣接する波形凹凸部分に互いに係合する縦線２と横線３は、互いに係合する相手側の線材の軸線方向にずれることがなく、しかも、前記線径に対して余裕を持たせて深さ（ｈ）とピッチ（ｐ）を設定しているため、縦線２と横線３とは互いに回動自在となる。即ち、縦線２と横線３の交差部を支点として、平行四辺形を保って円滑に変形できる。
【００２０】
前記のフェンス本体１は、平地に設置するときは、図４（ａ）に示すように縦線２と横線３が直角に交わる長方形の状態で配置できると共に、傾斜地に設置するときは、図４（ｂ）に示すようにフェンス本体１の両側を上下反対に移動させることで、フェンス本体１につき平行四辺形を保持して、つまり、縦線２につき鉛直方向に配向している状態を保持してフェンス本体１の上下部を傾斜させることができる。この場合、縦線２と横線３とが回動自在となるように、凹部４と凸部５の深さ（ｈ）、ピッチ（ｐ）を線径に対して余裕を持たせて設定しておくことにより、両線材の凹部４と凸部５が係合を保持したまま回動することで矩形状態から傾斜状態にスムーズに変形できる。
【００２１】
しかも、縦線２と横線３は上下と左右に適度の間隙を置いて配設されているにも拘わらず、フェンス本体１の上端部及び下部並びに左右の部分は、２本１組の縦線２と横線３が隣接する波形の凹部４と凸部５に係合することで安定して組まれているので、全体の線材が安定し、ずれることがない。したがって、製作から梱包、運搬、施工までの間の取り扱いによって、縦線・横線が崩れるという不具合を解消している。
【００２２】
フェンス本体１は図５に示すように、所定の間隔で地盤７に立設された支柱８に取り付けてフェンス１０を構成する。図５〜図１２によって説明すると、支柱８は横断面円形の鋼管製支柱であり、下端部が地盤７に埋め込み固定した鋼管基礎１５内に配置されて、前記鋼管基礎１５内に充填のコンクリート又はモルタルに埋設されている。隣接する支柱８の間にアングル材からなる上部胴縁１２が架設され、フェンス本体１の上部はこの上部胴縁１２に固定される。フェンス本体１の両側部は支柱１に固定金具を用いて固定される。
【００２３】
各部の構成を順に説明すると、図１１（ａ）（ｂ）に示すようにアングル材からなる上部胴縁１２の垂直部は、支柱８に当接されて、これらに渡って挿通されたボルト１４及びこれにねじ込まれたナットにより支柱８に取り付けられている。
図９に示すように、フェンス本体１の３本１組の上部横線３ａは、上部胴縁１２の垂直部の内側面が当てがわれ、隣り合う中間部縦線２ｂの間において、金網取付金具１６にて押さえられ、該金網取付金具１６を貫通するボルト１７及びこれにねじ込まれるナットを介して上部胴縁１２に固定されている。また、図１０（ｄ）、（ｅ）に示すように所定長さの上部胴縁１２の端部は、段差部のある一方の胴縁の端部に重ね合わせ、固定ボルト１８にて固定することでフェンスに設置長さに渡って連続して構成される。
【００２４】
２本１組で多段に設けられた中間部横線２ｂは、支柱８に対して、図５Ｆ部に示す金具を用いて固定されている。図５のＦ部の金具は、その詳細を示す図１２（ａ）（ｂ）に示すように、支柱８とフェンス本体１との間に矩形状の鋼製支承板１６を配置すると共に、前記の鋼製支承板１６に、左右のフェンス本体の端部を重ね合わせ、隣接するフェンス本体１の中間部横線３ｂの端部と側部縦線２ａとが当てがわれ、押さえ金具２９で左右側が同時に押さえられる。この押さえ金具２９及び前記鋼製支承板１６には、支柱８を抱持したＵボルト３０の両端が挿通しており、ナット３１を締結することで、鋼製支承板１６及び押さえ金具２９を介して、フェンス本体１の両側部を支柱８に固定している。
このように図５のＦ部の固定手段を上下方向に間隔をおいて設けることで、フェンス本体１の両側部は支柱８に固定されている。この固定手段は、フェンス本体１を平地と傾斜地の何れに設置するときも、共通に適用できる。フェンス本体１を支柱８に固定したとき、各フェンス本体１の左右両側部の下端部（隅部）で、鋼管基礎１５に干渉する部分の縦線２及び１本線の横線３ｃは、適宜切断撤去される。なお、鋼管基礎１５を用いない場合には、切断撤去する必要はない。
縦線２の下端部と、１本線の地中に埋め込まれる少なくとも３本の横線３ｃが縦線２の下端部と共に地盤（地中）７に埋め込み固定されることから、地中に埋め込まれる横線３ｃは動物の穴掘り動作により一部が露出しても、露出するスパンが小さいから曲げ剛性は全体が露出している地表部の横線よりは格段に剛性は大きくなり、そのため、縦線２の下部、及び地際部の１本線の各横線３ｃは位置が安定する。
【００２５】
本実施形態のフェンス１０は、波形凹凸部分が形成された縦線２と横線３が縦横平行に配置されてなり、縦線２は、隣接する半ピッチずれた２本以上の横線３の凹凸部分に通されて係合されている。また、縦線２の間隔と横線３の間隔は適度の余裕を持たせて配置されていて動物の侵入を阻止できると共に、長方形のフェンス本体１を平行四辺形を保って適宜の傾斜に変形させることで、施工現場にて平地および傾斜地に容易に対応させることができる。しかも、このフェンス本体１は、製作、梱包、運搬、施工の間の取り扱いによっても、縦線２と横線３の編成が崩れることがなく、取り扱いと施工性が向上する。なお、中間部の縦線２ｂと横線３ｂの本数や配置の間隔などは設置状況に適応するように変更して構わない。
【００２６】
地中部に埋め込み配置される横線３ｃのピッチとして、１．５ピッチずれ又は２．５ピッチずれを混在するようにすると、１，５ピッチずれの横線配置の場合に比べて、地中部の横線の配置を少なくすることも可能になり、２．５ピッチずれの横線配置に比べて、密に配置して動物の穴掘り侵入を防止することができる。
【００２７】
本発明を実施する場合、フェンス本体１０としては、図１４に示すように、フェンス本体１下部の地際部の横線群１３ｂと地中部用の横線群１３ａと同様に上下対称に、フェンス本体１における縦線２を上方に延長して、１本線の上部横線３ｃを複数設けるようにして、施主の要望する規格に合わせるようにしてもよく。
このような形態のフェンス本体では、上下対称であるので、フェンス本体の表裏或は上下いずれでもよくなるため、上下反転配置したり、表裏を誤って配置しても、いずれも正しい設置状態になるので、設置が容易で誤配置の恐れがなくなる。
このような形態以外にも、図示を省略するが、施主の要望する規格に合わせるようにフェンスの高さを適宜設定するようにしてもよく、例えば、支柱を上方に伸ばして、番線等を支柱間に上下方向に間隔をおいて張設するようにしてもよい。
【００２８】
本発明を実施する場合、支柱の形態或は胴縁とフェンス本体の取り付け形態としては、前記従来の形態と同様に、断面ハット形の支柱を用いてもよく、フェンス取り付け金具を胴縁に設けるようにしてもよい。
【符号の説明】
【００２９】
１  フェンス本体
２  縦線
２ａ  側部縦線
２ｂ  中間部縦線
３  横線
３ａ  上部と下部の横線
３ｂ  中間部の横線
４  凹部
５  凸部
６  四方枠
７  地盤
８  支柱
１０  フェンス
１１  コンクリート基礎
１２  上部胴縁
１３  爪
１４  取り付けボルト
１５  鋼管基礎
１６  金網取付金具
１７  ボルト
１８  ボルト
１９  フェンス本体
２０  フェンス
２１  コンクリート基礎
２２  鍔部
２３  爪
２４  取り付けボルト
２５  胴縁取付金具
２６  金網取付金具
２７  ボルト
２８  ボルト
２９  押さえ金具
３０  Ｕボルト
３１  ナット
３２  押さえ金具
３３  固定ボルト
３４  ナット
【図１】
0005670719.tif 000002
【図２】
0005670719.tif 000003
【図３】
0005670719.tif 000004
【図４】
0005670719.tif 000005
【図５】
0005670719.tif 000006
【図６】
0005670719.tif 000007
【図７】
0005670719.tif 000008
【図８】
0005670719.tif 000009
【図９】
0005670719.tif 000010
【図１０】
0005670719.tif 000011
【図１１】
0005670719.tif 000012
【図１２】
0005670719.tif 000013
【図１３】
0005670719.tif 000014
【図１４】
0005670719.tif 000015
【図１５】
0005670719.tif 000016
【図１６】
0005670719.tif 000017
【図１７】
0005670719.tif 000018
【図１８】
0005670719.tif 000019
【図１９】
0005670719.tif 000020